(57)【特許請求の範囲】
【請求項１】
文字列情報を入力するための文字入力手段と、
所定の文字列からなるキーワードを表示するための表示項目を複数備える表示手段と、
複数の文字列情報要素の組からなる複合文字列情報を複数記憶している複合文字列情報辞書と、
前記入力された文字列情報から切り出した所定の単語で前記複合文字列情報辞書を検索し、該辞書における複合文字列情報の一部又は全部で比較一致が得られた当該複合文字列情報の全体を抽出し、前記表示手段の対応項目に表示させる文字情報処理手段と、
を備えることを特徴とする情報入力装置。
【請求項２】
文字列情報を入力するための文字入力手段と、
所定の文字列からなるキーワードを表示するための表示項目を複数備える表示手段と、
前記表示手段の第１の表示項目に対応させるべき複数の第１のキーワードと該各第１のキーワードと所定の関係にある複数の第２のキーワードとを前記第１のキーワード毎に関連付けて記憶しているキーワード辞書と、
前記表示手段の第２の表示項目に表示された第２のキーワードで前記キーワード辞書を検索し、該辞書の第２のキーワードと比較一致が得られた辞書欄から対応する第１のキーワードを抽出し、前記第１の表示項目に表示させる文字情報処理手段と、
を備えることを特徴とする情報入力装置。
【請求項３】
文字列情報を入力するための文字入力手段と、
所定の文字列からなるキーワードを表示するための表示項目を複数備える表示手段と、
複数種の表示フォーマットに各対応する複数のフォーム情報と該各フォーム情報に対応する１又は２以上のキーワードとを前記フォーム情報毎に関連付けて記憶しているフォーム辞書と、
第１の画面の所定の表示項目に表示されるキーワードで前記フォーム辞書を検索し、該辞書のキーワードと比較一致が得られた辞書欄から対応するフォーム情報を抽出し、該フォーム情報に基づいた画面を第２の画面に表示させる文字情報処理手段とを備えることを
特徴とする情報入力装置。
【請求項４】
文字列情報を入力するための文字入力手段と、
所定の文字列からなるキーワードを表示するための表示項目を複数備える表示手段と、
前記表示項目に対応する複数のキーワードと該各キーワードを類推させる複数の類推語とを対応付けたデータを、前記複数の表示項目毎にテーブルに分けて記憶している単語辞書と、
前記入力された文字列情報から切り出した複数の所定の単語列で前記複数のテーブルを検索し、前記キーワード又はその類推語と比較一致が得られた該各テーブルと対応付けられている表示項目のそれぞれに、該単語列につき比較一致が得られたキーワードのそれぞれを、１次入力状態として第１の文字色で一斉に表示させる文字情報処理手段とを備え、
前記文字情報処理手段は、前記表示手段の一つの表示項目につき抽出された複数のキーワードの内の一つを前記表示項目対応に表示させ、かつ残りのキーワードを前記表示項目近傍の表示エリアに一覧表示させると共に、該一覧キーワードの中から選択されたキーワードで前記表示項目対応の表示を置換する２次入力−Ａモードを備えることを特徴とする情報入力装置。
【請求項５】
前記文字情報処理手段は、前記１次入力状態の表示終了後に、前記表示手段において１表示項目につき複数のキーワードが抽出された表示項目が選択された場合は前記２次入力−Ａモードを実行することを特徴とする請求項４記載の情報入力装置。
【請求項６】
請求項４記載の情報入力装置は、さらに、前記１次入力状態の表示項目内容を個別に確定させるための個別確定指示手段を備え、
前記文字情報処理手段は、選択された表示項目に対する前記個別確定指示手段の指示操作に従って該表示項目内容を確定状態にすることを特徴とする請求項４記載の情報入力装置。
【請求項７】
請求項６記載の情報入力装置は、さらに、予め表示項目対応に決められた優先順位でｌ次入力状態の各表示項目をシーケンシャルに選択する表示項目選択制御手段を備えることを特徴とする請求項６記載の情報入力装置。
【請求項８】
請求項４記載の情報入力装置は、さらに、前記１次人力状態の全表示項目を一斉に確定させるための全確定指示手段を備え、
前記文字情報処理手段は、前記全確定指示手段の指示操作に従って前記１次入力状態の全表示項目内容を一斉に確定状態にすることを特徴とする請求項４記載の情報入力装置。
【請求項９】
前記文字情報処理手段は、確定状態にある表示項目内容を前記第１の文字色とは異なる第２の文字色で表示させることを特徴とする請求項６又は８に記載の情報入力装置。
【発明の詳細な説明】
【０００１】
【発明の属する技術分野】
本発明は情報入力装置に関し、更に詳しくは複数項目の情報入力とその利用に迅速さ及び正確さが要求されるサービス（消防センタや警察本部における緊急通報サービス、公共施設の利用やチケット販売等における予約サービス等）に適用して好適なる情報入力装置に関する。
【０００２】
情報入力に緊急性を要する情報入力システムの一例としては、消防センタ／警察本部の主要機能である加入者からの１１９／１１０番呼受付，台間モニタ・割込，署所／派出所指令，出動車両（救急車，消防車，パトカー等）との無線通話等を行う指令管制（緊急通報）システムがある。係る緊急通報システムは、その社会的重要性より、緊急通報の受付及び指令発生の迅速性が必要不可欠の要件となる。
【０００３】
【従来の技術】
図１８，図１９は従来技術を説明する図（１），（２）で、図１８は従来の緊急通報（指令管制）システムの概要を示している。図において、１は加入者電話（ＴＥＬ）、１００は公衆（ＮＴＴ）網、３は加入者線を終端するライン回路（ＬＣ）、４は公衆網の交換機（ＮＷ）、５は緊急通報トランク（ＦＰＴ）、２００は消防センタ、３００は警察本部、６は緊急通報受付トランク（ＦＰＩ）、７は指令回線用トランク（ＬＤＳ）、８は構内交換機（ＰＢＸ）、９は緊急通報の受付台、１０は消防署所／派出所の受令装置である。
【０００４】
加入者が電話器１より１１９番をダイヤルすると、該呼はＮＴＴ網の交換機４及び１１９番の緊急通報回線を介して消防センタ２００の構内交換機８に着信し、通報受付台９で受け付けられる。受付者は所要の通報受付処理を行うと共に、速やかに管轄署所宛に指令（主に音声による）を発し、該指令は構内交換機８及び指令回線を介して管轄署所の受令装置１０に送られる。これを受けた受令者は、聴取した指令内容に従い車両（救急車，消防車等）を現場に急行させ、こうして、加入者は病気／災害時の緊急サービスを迅速に受けられる。
【０００５】
又は、加入者が電話器１より１１０番をダイヤルすると、該呼はＮＴＴ網の交換機４及び１１０番の緊急通報回線を介して警察本部３００の構内交換機８に着信し、通報受付台９で受け付けられる。受付者は所要の通報受付処理を行うと共に、速やかに管轄派出所宛に指令（主に音声による）を発し、該指令は構内交換機８及び指令回線を介して管轄派出所の受令装置１０に送られる。これを受けた受令者は、聴取した指令内容に従いパトカーや警察官等を現場に急行させ、こうして、加入者は事件／事故時の緊急サービスを迅速に受けられる。
【０００６】
なお、出動後の車両と受付台９との間の交信は専ら不図示の無線回線を介して行われる。また、以下は従来の警察本部の指令管制システム（特に通報受付台）を中心に説明するが、消防センタの指令管制システム（通報受付台）についても同様である。
【０００７】
図１９は従来の通報受付台のブロック図で、図において、１１は受付台装置の主制御・処理を行うＣＰＵ、１２はＣＰＵ１１が使用するプログラムやデータを記憶する主メモリ（ＭＭ）、１３は事案（事件）に関する複数項目情報を表示するためのＣＲＴ等による表示部、１４は交換回線系のマニュアル制御（緊急呼の受付，通話音声の台間モニタ・割込，呼切断等）を行う通報分配系操作パネル、１５は構内交換機８と接続する回線インタフェース（ＣＩＦ）、１６は受付台扱い者（受理者）が使用する通話用のヘッドセット（ＨＳ）、１７は文字情報入力用のキーボード（ＫＢＤ）、１８はマウス等のポインティングデバイス（ＰＤ）、１９は文字情報入力を支援するための２次的な情報入力装置（ディジタイザ／ペンコンピュータ入力装置／プラズマディスプレイパネル入力装置等）、２０はＣＰＵ１１が使用するプログラムファイルやデータファイルを記憶している２次記憶装置としてのハードウェアディスク装置（ＨＤＤ）、２２はＣＰＵ１１の共通バス、２３は受付台上に置かれた紙製のメモ帳である。
【０００８】
他にも、図示しないが、無線車両（パトカー等）からの無線音声をたれ流しでモニタするためのモニタスピーカや、聴取内容を録音するためのテープデッキ等を備える。
【０００９】
係る構成により、従来は、受理者が通報者からの聴取内容を一旦メモ帳２３に手書きし、聴取後の時間にメモ書き内容を確認しつつ必要事項を拾い出し、情報画面の各表示項目対応に事件の件名や該事件を特定する他の複数事項（発生時刻，発生場所，管轄署等）を、署内で使用する共通語（キーワード）により、キーボード１７を使用して順次入力していた。
【００１０】
【発明が解決しようとする課題】
上記の如く、従来は、聴取内容の紙へのメモ書き、該メモからの必要事項の拾い出し、及び順次表示項目を選択して内容（キーワード）をキー入力する等、煩わしい数段階の作業を順に行う必要があった。従って、メモ書きからキー入力開始までにタイムロスがあるばかりか、各項目を選択して内容をキー入力する作業にも相当の時間を要し、こうして事案情報の作成にかなりの時間と労力を要していた。また、その分指令の発動や現場急行（初動捜査）に遅れを来たし、通報者は迅速なサービスを受けられない場合もあり得た。また、受理者が熟練していないと、メモ書き時点では情報不足に気付かず、キー入力時点で情報不足に気付くと言うような不都合も生じ得た。
【００１１】
なお、従来は、メモ帳２３に代えて、ディジタイザ１９を使用するシステムが知れている。しかし、これはディジタイザ１９に対するメモ書きの内容がそのまま電子的に記録されるものに過ぎない。従って、メモ書き後は上記同様にしてキーボード１７からデータを入力する必要がある。
【００１２】
また、従来は、メモ帳２３（又はディジタイザ１９）にメモ書きして後、ペンコンピュータ又はプラズマディスプレイパネル等のタッチ情報入力装置（２次的な情報入力装置）１９を使用して表示項目対応の内容をタッチ入力するシステムが知られている。しかし、この場合もメモ書き後に、必要項目を抽出し、タッチパネル上の項目内容を選択する操作が必要となり、この作業に熟練と時間を要する。しかも、タッチパネルに一度に表示できる項目内容数には制限がある。
【００１３】
本発明は上記従来技術の問題点に鑑み成されたものであって、その目的とする所は、事案等につきメモを取る程度の簡単な情報入力操作で、画面の複数項目対応にリアルタイムに各所要の情報を効率良く入力可能な情報入力装置及び該装置を備える情報入力システムを提供することにある。
【００１４】
【課題を解決するための手段】
上記の課題は例えば図１の構成により解決される。即ち、本発明（１）の情報入力装置は、文字列情報を入力するための文字入力手段と、所定の文字列からなるキーワードを表示するための表示項目を複数備える表示手段と、複数の文字列情報要素の組からなる複合文字列情報を複数記憶している複合文字列情報辞書と、前記入力された文字列情報から切り出した所定の単語で前記複合文字列情報辞書を検索し、該辞書における複合文字列情報の一部又は全部で比較一致が得られた当該複合文字列情報の全体を抽出し、前記表示手段の対応項目に表示させる文字情報処理手段と、を備えるものである。
【００１５】
上記本発明（１）は表現がより一般的（抽象的）であるため、これを一具体例で言い換えると、住所と、氏名，名称，建物名又は屋号との各文字列情報要素の組からなる複数の住所録情報を記憶している住所録辞書（複合文字列情報辞書に相当）を備え、文字情報処理手段は、入力の文字列から切り出した所定の単語（住所録情報の一部等）で前記住所録辞書を検索すると共に、該辞書における住所録情報の一部又は全部で比較一致が得られた当該住所録情報の全体を抽出し、表示手段の対応項目に表示させるもの、と言うことになる。従って、通常のキーワードのみならず、住所と、氏名，名称，建物名又は屋号等からなる様な住所（事件の発生場所等）に関する情報も効率よく入力可能となる。
好ましくは、表示項目に対応する複数のキーワードと該各キーワードを類推させる複数の類推語とを対応付けたデータを、前記複数の表示項目毎にテーブルに分けて記憶している単語辞書を備え、文字情報処理手段は、前記入力された文字列情報から所定の単語列を複数切り出し、該切り出した各単語で前記複数のテーブルを検索し、前記キーワード又はその類推語と比較一致が得られた該各テーブルから各対応するキーワードをそれぞれ抽出し、該比較一致が得られたテーブルと対応付けられている表示項目のそれぞれに、該表示項目に対応する該テーブルから抽出したキーワードのそれぞれを一斉に表示させる。
この構成では、入力の文字列（類推語等）で単語辞書を検索し、得られたキーワードを表示項目に入力する構成により、一般に使用されるような様々な表現態様の文字列をそのまま入力するだけの単純な入力操作でも、目的（所要）のキーワードを適正に入力できる。また入力の文字列（単語列）で単語辞書を検索し、得られたキーワード群を複数表示項目対応に一斉に入力する構成により、重要事項につきメモを取る程度の簡単な情報入力操作でも、画面の複数項目対応に各所要のキーワードを実時間で効率良く入力できる。
【００１６】
また好ましくは、文字情報処理手段は、入力の文字列で単語辞書を検索すると共に、該辞書のキーワード又はその類推語と比較一致が得られた部分の単語を所定の単語として前記入力の文字列から順次切り出す。従って、全体としては冗長な入力の文字列（文章）からでも各所定の単語列を効率よく切り出せる。
【００１９】
本発明（２）の情報入力装置は、文字列情報を入力するための文字入力手段と、所定の文字列からなるキーワードを表示するための表示項目を複数備える表示手段と、前記表示手段の第１の表示項目に対応させるべき複数の第１のキーワードと該各第１のキーワードと所定の関係にある複数の第２のキーワードとを前記第１のキーワード毎に関連付けて記憶しているキーワード辞書と、前記表示手段の第２の表示項目に表示された第２のキーワードで前記キーワード辞書を検索し、該辞書の第２のキーワードと比較一致が得られた辞書欄から対応する第１のキーワードを抽出し、前記第１の表示項目に表示させる文字情報処理手段と、を備えるものである。
【００２０】
上記本発明（２）も表現がより一般的（抽象的）であるため、これを一具体例で言い換えると、表示手段の管轄署の表示項目に対応させた複数の管轄署名称（第１のキーワード）及び該各管轄署名称と所定の関係にある複数の事件発生場所の情報（第２のキーワード）を前記管轄署名称毎に関連付けて記憶している管轄署辞書（キーワード辞書）を備え、文字情報処理手段は、表示手段の事件発生場所の表示項目に表示された事件発生場所の情報（第２のキーワード）で前記管轄所辞書を検索すると共に、該辞書の事件発生場所の情報（第２のキーワード）と比較一致が得られた辞書欄から対応する管轄署名称（第１のキーワード）を抽出し、前記管轄署の表示項目に表示させるもの、と言うことになる。従って、事件発生場所の入力に連動して管轄署の情報も自動的に入力される。
【００２１】
本発明（３）の情報入力装置は、文字列情報を入力するための文字入力手段と、所定の文字列からなるキーワードを表示するための表示項目を複数備える表示手段と、複数種の表示フォーマットに各対応する複数のフォーム情報と該各フォーム情報に対応する１又は２以上のキーワードとを前記フォーム情報毎に関連付けて記憶しているフォーム辞書と、第１の画面の所定の表示項目に表示されるキーワードで前記フォーム辞書を検索し、該辞書のキーワードと比較一致が得られた辞書欄から対応するフォーム情報を抽出し、該フォーム情報に基づいた画面を第２の画面に表示させる文字情報処理手段とを備えるものである。
【００２２】
上記本発明（３）も表現がより一般的（抽象的）であるため、これを一具体例で言い換えると、事案内容に応じて設けた複数のフォーム情報と該各フォーム情報に対応する１又は２以上の件名語とを前記フォーム情報毎に関連付けて記憶しているフォーム辞書を備え、文字情報処理手段は、第１の画面の件名項目に表示される件名語で前記フォーム辞書を参照すると共に、該辞書の件名語と比較一致が得られた辞書欄から対応するフォーム情報を抽出し、該フォーム情報に対応す第２の画面を表示させるもの、と言うことになる。従って、まず画面の左側に基本（共通）事項の情報入力画面（第１の画面）を表示し、かつその内の特定の表示項目内容に従って、該表示項目内容に固有の（該表示項目内容に密接な関係のある）第２の情報入力画面を自動的に表示できる。
【００２３】
本発明（４）の情報入力装置は、文字列情報を入力するための文字入力手段と、所定の文字列からなるキーワードを表示するための表示項目を複数備える表示手段と、前記表示項目に対応する複数のキーワードと該各キーワードを類推させる複数の類推語とを対応付けたデータを、前記複数の表示項目毎にテーブルに分けて記憶している単語辞書と、前記入力された文字列情報から切り出した複数の所定の単語列で前記複数のテーブルを検索し、前記キーワード又はその類推語と比較一致が得られた該各テーブルと対応付けられている表示項目のそれぞれに、該単語列につき比較一致が得られたキーワードのそれぞれを、１次入力状態として第１の文字色で一斉に表示させる文字情報処理手段とを備え、前記文字情報処理手段は、前記表示手段の一つの表示項目につき抽出された複数のキーワードの内の一つを前記表示項目対応に表示させ、かつ残りのキーワードを前記表示項目近傍の表示エリアに一覧表示させると共に、該一覧キーワードの中から選択されたキーワードで前記表示項目対応の表示を置換する２次入力−Ａモードを備えるものである。
【００２４】
単語辞書の検索で一斉に得られる複数項目内容（キーワード）は、夫々に的中率は高いものの、全てが完全とは言い切れない。そこで、本発明（４）においては、これらを仮（他のキーワード等により変更される可能性のある）の１次入力状態と成し、かつ他の通常の語とは容易に区別できる様な第１の文字色で表示させることとした。
【００２５】
また、文字情報処理手段は、表示手段の一つの表示項目につき複数のキーワードが抽出されたことにより、その内の一つを前記表示項目対応に表示させ、かつ残りのキーワードを前記表示項目近傍の表示エリアに一覧表示させると共に、該一覧キーワードに対する所定のマニュアル選択操作に従って前記表示項目対応に表示されたキーワードを前記選択されたキーワードで置換する２次入力−Ａモードを備える。従って、いずれが適正な表示項目内容（キーワード）であるかの判断及びその選択が容易となる。
【００２６】
または、好ましくは、文字情報処理手段は、文字入力手段からの入力文字情報または手書き文字認識手段からの認識文字列情報または音声認識手段からの認識文字列情報で１次入力状態のキーワードを直接に変更し又は置換する２次入力−Ｂモードを備える。従って、１次入力状態の表示項目内容を柔軟にかつ任意に修正又は変更できる。
【００２７】
また好ましくは、文字入力手段は、キーボード、ディジタイザと該ディジタイザ入力の手書き文字列を認識する手書き文字認識手段、及び又は、マイクと該マイク入力の音声を認識する音声認識手段とを備える。
【００２８】
従って、重要事項につきメモを取る程度の簡単な文字列をキーボード，ディジタイザと手書き文字認識手段又はマイクと音声認識手段により入力できる。いずれの文字入力手段も、それらの最終的な出力は文字列（キー入力文字列，認識文字列）であるから、これらに対する文字情報処理手段の処理は共通で良い。
【００２９】
なお、キーボードでメモを入力する場合は、重要事項に関する各文字列（キーワード，類推語等）を簡略化された文章形態（各単語間をスペース等で分けた様な完全ではない文章形態）て打ち込めば良い。またディジタイザで手書きメモを入力する場合は、重要事項に関する各文字列を例えば図９に示す様な簡略化された文章形態で手書き入力すれば良い。またマイクで音声メモを入力する場合は、重要事項に関する各語を適当な時間間隔を開けて入力すれば良い。なお、このマイク入力の場合は、通報者の音声をそのまま入力しても良いし、又は受理者が要点を復唱する時のみ音声認識手段を付勢し、こうして受理者の音声のみを入力しても良い。
【００３０】
あるいは、キーボード，ディジタイザと手書き文字認識手段又はマイクと音声認識手段により２次入力−Ｂモードの情報をそのまま入力できる。
【００３１】
また好ましくは、ディジタイザは、手書き入力フリーフォーマットの手書きフリー入力スペースを備え、文字情報処理手段は、前記手書きフリー入力スペースに手書きされ、かつその手書き文字順に文字認識手段により認識された認識文字列から所定の単語列を切り出すものである。従って、この手書きフリー入力スペースには任意のメモ情報を任意のフォーマットでメモ書きできる。また、その際には、手書き文字順や行改変等の文章構造情報を別途利用することで、各所定の単語の切り出し処理等をより正確に行える。
【００３２】
また好ましくは、ディジタイザは、表示画面上の指定項目対応に手書き文字列を直接に入力可能な項目対応手書き入力スペースを備え、かつ手書きフリー入力スペース及び又は前記項目対応手書き入力スペースの広さが所定のマニュアル操作に従って夫々独立に又は相互に連動して可変に構成されている。従って、情報の１次入力／２次入力−Ｂモードに応じて手書きフリー入力スペースと項目対応手書き入力スペースとを有効に使い分けられる。なお、単一の手書き入力スペースを時分割で手書きフリー入力スペースと項目対応手書き入力スペースとに使い分けるように構成しても良い。
【００３３】
また好ましくは、本発明（５）においては、上記本発明（４）において、文字情報処理手段は、前記１次入力状態の表示終了後に、前記表示手段において１表示項目につき複数のキーワードが抽出された表示項目が選択された場合は前記２次入力−Ａモードを実行するものである。従って、使用者は、１次入力の情報検索結果に応じて次の最適の２次入力モードを案内されることとなり、入力処理が早まるばかりか、使い勝手が良い。
【００３４】
また好ましくは、文字情報処理手段は、２次入力−Ｂモードの実行開始時又は実行中に、キーボードに対する文字入力操作が行われた場合は該キーボードからのキー入力文字列を２次入力−Ｂモードで処理し、またディジタイザに対する手書き文字入力操作が行われた場合は手書き文字認識手段からの認識文字列を２次入力−Ｂモードで処理し、またマイクに音声が入力され場合は音声認識手段からの認識文字列を２次入力−Ｂモードで処理するものである。
【００３５】
上記２次入力−Ｂモードとなる場合は、キーボード，ディジタイザ及びマイクの３つの入力方法があり得るが、上記によれば、単に何れかの入力方法を実行開始するだけで文字情報処理手段は該手段からの入力文字列を２次入力−Ｂモードで処理するので、使い勝手が良い。
【００３６】
また好ましくは、本発明（６）においては、上記本発明（４）記載の情報入力装置は、さらに、前記１次入力状態の表示項目内容を個別に確定させるための個別確定指示手段を備え、前記文字情報処理手段は、選択された表示項目に対する前記個別確定指示手段の指示操作に従って該表示項目内容を確定状態にする。従って、表示項目内容を一つ一つ確認しながら確定できる。
【００３７】
また好ましくは、本発明（７）においては、上記本発明（６）記載の情報入力装置は、さらに、予め表示項目対応に決められた優先順位でｌ次入力状態の各表示項目をシーケンシャルに選択する表示項目選択制御手段を備える。
【００３８】
ところで、表示項目の中には内容の確定を急がれる項目（例えば事件の件名，事件の発生時刻，発生場所等）があり、またある表示項目（事件の発生場所等）の内容が確定すると、これに関連する他の表示項目（管轄署等）の内容が自動的に決まる場合もある。従って、１次入力された表示項目につきこれらを順序良く確定できたら、情報入力の効率が一層アップする。一方、この様な複雑な依存関係を使用者が記憶しているのは困難であるばかりか、いつ依存関係の主に当たる表示項目が１次入力されるか分からない。そこで、予め表示項目対応に優先順位を付けておき、該優先順位に従って１次入力状態の各表示項目をシーケンシャルに自動選択することとした。
【００３９】
また好ましくは、本発明（８）においては、上記本発明（４）記載の情報入力装置は、さらに、前記１次人力状態の全表示項目を一斉に確定させるための全確定指示手段を備え、前記文字情報処理手段は、前記全確定指示手段の指示操作に従って前記１次入力状態の全表示項目内容を一斉に確定状態にする。
【００４０】
ところで、本発明による情報入力操作に慣れると、事案の聴取からその１次入力／確定に至る作業（１クール）を何段階かに分け、重要事項（早期確定事項）から要領良く複数表示項目を順次確定することが可能である。また係る場合には各段階における１次入力内容をそのまま確定状態できる確率も高い。そこで、本発明（８）では１次入力状態の全表示項目を一斉にマニュアル確定可能とし、情報入力作業の更なる効率アップを可能としている。
【００４１】
また好ましくは、本発明（９）においては、上記本発明（６）又は（８）記載の文字情報処理手段は、確定状態にある表示項目内容を前記第１の文字色とは異なる第２の文字色で表示させる。従って、確定状態にある表示項目内容を他の内容から容易に見分けることができる。
【００４２】
また、好ましい一例の情報入力システムは、公衆網に接続する構内交換機と、前記構内交換機を介して一般通報者からの通報呼を受け付ける複数の受付台装置であって、交換回線系の接続／切断操作を行う通報分配系操作パネル及び上記本発明（１）乃至（４）の何れか１に記載の情報入力装置を具備するものと、指令回線及び又は無線回線に接続して関係所署の受令装置及び又は無線ユニットに指令を発する複数の指令台装置と、前記複数の受付台装置と複数の指令台装置間を相互に接続して受付台側及び又は指令台側の所定のリンク制御操作により任意の受付台装置と任意の指令台装置との間で通報又はモニタリンクの確立及び解除が可能に構成された構内ネットワークとを備え、前記接続された任意の装置間で前記情報入力装置に入力されかつ生成された入力情報を前記通報又はモニタリンクを介して相互に共有可能としたものである。
【００４３】
この情報入力（指令管制）システムは、上記本発明（１）乃至（４）の何れか１に記載の情報入力装置を含む受付台装置を備える構成により、緊急通報の受理業務を極めて迅速かつ効率よく行え、緊急時の迅速な対応が可能となる。また、受付台装置と指令台装置とで業務を分担し、かつ任意の受付台装置と任意の指令台装置との間で通報又はモニタリンクの確立及び解除が可能な構成により、受理者と指令者の連携プレーから成る指令管制業務を柔軟に運用できる。また、接続された受付台装置と指令台装置間で前記情報入力装置に入力されかつ生成された入力情報（画面情報等）を通報リンク又はモニタリンクを介して相互に共有可能とした構成により、指令者は受付台の全情報をリアルタイムで把握可能となり、関係署所に迅速かつ的確な指揮・指令を発動できる。また、逆に受理者は指揮・指令の進行状況をリアルタイムで把握可能となり、これを情報入力作業（事案の聴取作業等）に活用できる。
【００４４】
【発明の実施の形態】
以下、添付図面に従って本発明に好適なる実施の形態を詳細に説明する。なお、全図を通して同一符号は同一又は相当部分を示すものとする。
【００４５】
図２は実施の形態による指令管制システムのブロック図で、警察システムへの適用例を示している。図において、１は電話機（ＴＥＬ）、１００は公衆網、５０は警察本部の指令管制システム、５１は構内交換機（ＰＢＸ）、５２1 〜５２n は受付台＃１〜＃ｎ、５３1 〜５３m は指令台＃１〜＃ｍ、５４は統合指令台、５５はＬＡＮ(Local Area Network)、５６は受付台で作成された事案情報等を記録管理するためのサーバ、５７は指令回線や無線回線をＬＡＮ５５に収容するためのルータ（ＬＴ）、６０は派出所、６１は受令台、６２は無線ユニット（ＲＦＵ）、ＭＳはパトロールカー搭載の移動機（警察官の所持する携帯機を含む）である。
【００４６】
なお、無線回線及び無線ユニット６２は派出所６０とは別の場所にあっても良い。また上記ルータ５７を設ける代わりに、指令台＃１〜＃ｍと各指令回線及び無線回線との間をＰＢＸ５１を介して接続するように構成しても良い。
【００４７】
係る構成により、通報者からの１１０番呼はＰＢＸ５１を介して空いている受付台＃１〜＃ｎに配信され、受付台の受付操作により受け付けられる。受付者（受理者）は通報者から事案（事件）内容を聴取すると共に、重要事項のメモを取る感覚で聴取内容を後述するディジタイザ３１等に手書き入力する。この手書き文字列は手書き文字認識部で認識され、更に該認識文字列から所定の単語列が抽出され、得られた単語列で一斉にデータベース（単語辞書等）が検索され、こうして該データベースからは上記抽出単語列に各対応する複数の所要項目内容（キーワード等）が抽出され、これらは情報画面上の各表示項目対応に一斉に入力（表示）される。また必要ならこれらの表示内容に修正／変更を加え、最終的に適正な内容で表示内容を確定状態にし、こうして事案の受理業務が迅速かつ的確に行われる。また、生成された情報画面の内容は事案毎にサーバ５６に格納され、後に何時でも再利用可能となる。
【００４８】
一方、指令台＃１〜＃ｍ及び統合指令台５４では、上記受付台における受理業務（受理者と通報者の会話音声，情報画面の表示内容等）を適宜にモニタ可能であると共に、指令者は事件の管轄署（派出所等）への音声等による無線指揮・指令の業務を主に担当する。その際には、指揮者は指令台から所望の受付台に割り込んで、指令者と受理者のみ、又は通報者をも含めた３者間で会話（事情聴取）することも可能である。この様な業務分担により、一般に、指令台数ｍ＞受付台数ｎとなっている。そして、統合指令台５４は指令台＃１〜＃ｍ（受付台＃１〜＃ｎを含む）における業務遂行状態を統括管理する。
【００４９】
本実施の形態では、互いに離れた受付台と指令台との間でこの様な業務の分担を円滑に遂行出来るように、受付台＃１〜＃ｎと指令台＃１〜＃ｍ及び統合指令台５４との間はＬＡＮ５５により接続されており、任意の台間で通報リンク（受付台から所望の指令台に通報）又はモニタリンク（指令台から所望の受付台をモニタ）を確立することにより台間の共有情報を相互にモニタできる。
【００５０】
このリンクは、情報入力画面の相互モニタ（情報入力系リンク：表示画面による他台との情報共有）及び交換回線系の相互モニタ（交換回線系リンク：電話音声による他台との情報共有）の両者併用（同時モニタリング）を基本とする有機的なモニタ連携機能であるが、上記各系は独立した機構及び機能体系を備えており、情報入力系のみ又は交換回線系のみでのリンク運用も可能である。またこのリンクは、受付台設置の受理端末及び指令台設置の指令端末の両者間を、何方の台（端末／操作パネル）における所定のリンク制御操作によってもリンク状態を確立にでき、また該確立したリンクは、オペレータ（受理者，指令者等）の判断で何方の台（端末／操作パネル）からでも任意のタイミングで解除できる。
【００５１】
また、上記リンクの確立／解除状態によらず、受付台における受理モード（事案の聴取及びその情報を入力する操作・処理）は該受付台の操作により独立に制御可能である。例えば、情報入力画面を終了（情報入力系ＯＦＦ）した状態で音声回線接続のみを継続（交換回線ＯＮ）する受理方式（Ｉ０モード）を、オペレータが任意のタイミングで無制限に切替（選択）可能である。但し、必要ならサーバ５６から情報入力画面の再読出が行われる。また上記受理方式（Ｉ０モード）を、情報リンクの確立状態においても、所定のマニュアル操作により、オペレータが任意のタイミングで無制限に切替（選択）可能である。また情報入力系ＯＮ、かつ交換回線系ＯＦＦにおいて、通常通りの複数項目同時入力を行う入力方式（Ｉ１モード）を、オペレータが任意のタイミングで切替（選択）可能である。また該入力方式（Ｉ１モード）を、通報リンクの確立状態においても、所定のマニュアル操作により、オペレータが任意のタイミングで切替（選択）可能である。
【００５２】
図３は実施の形態による受付台のブロック図で、図において、１１は受付台の主制御・処理（本発明の文字情報処理を含む）を行うＣＰＵ、１２はＣＰＵ１１が使用するプログラムやデータを記憶する主メモリ（ＭＭ）、１３はＣＲＴ，プラズマディスプレイ，ＬＣＤ等による事案用表示部（ＤＳＰ）、１４は交換回線系のマニュアル制御を行う通報分配系操作パネル、１５は構内交換機５１と接続する回線インタフェース（ＣＩＦ）、１６は受理者が使用する通話用のヘッドセット（ＨＳ）、１７はキーボード（ＫＢＤ）、１８はマウス（又はプラズマタッチパネル等）から成るポインティングデバイス（ＰＤ）、２０はＣＰＵ１１が使用するプログラムファイルやデータファイル（後述のデータベース２０ａを含む）を記憶している２次記憶装置としてのハードウェアディスク装置（ＨＤＤ）、２１はＬＡＮ５５に接続するＬＡＮインタフェース（ＬＩＦ）、２２はＣＰＵ１１の共通バス、３１は手書き文字や記号等を入力するためのディジタイザ、３２はディジタイザ入力の手書き文字や記号等を認識する手書き文字認識部、そして、３３は通報者又は受理者の音声を認識する音声認識部である。
【００５３】
更に、通報分配系操作パネル１４において、１４ａは回線（緊急通報回線，指令回線，無線回線）の状態（空き，着信中，通話中，保留中等）を表示する回線状態表示部（ＬＳＤＩＳＰ）、１４ｂは緊急呼着信表示やその着信応答操作（釦操作）を行うための操作部である。この操作部１４ｂには複数の表示ランプ（ＬＭＰ）と操作釦（ＫＥＹ）とが配列され、この内の幾つかのＫＥＹはＬＭＰとが組（対）で設けられ、ランプ表示に対応した釦操作が迅速に行われる。
【００５４】
他にも、図示しないが、地図を表示するための地図用表示部、受理者と通報者間との会話を録音するためのテープデッキ、無線車両（パトカー等）からの無線音声をたれ流しで出力するためのモニタスピーカ等を備える。
【００５５】
図４は実施の形態による受付台の外観図である。受付台５２の正面には事案用表示部１３、その左側には支援用表示部、また右側には斜めに配置された地図用表示部が並んでいる。事案用表示部１３は、左画面と右画面とに分けられ、基本的には、左画面には事件の「件名」，「発生時刻」，「発生場所」等の基本的な事案情報が表示され、また右画面には上記「件名」の内容に関連した詳細情報の画面が自動的に表示される。一方、地図用表示部には事件の「発生場所」に関する地図情報が表示され、事件の発生場所及びパトカー等の急行先の具体的な把握を容易としている。また、支援用表示部は必要に応じて設けられる。
【００５６】
更に、受付台５２の机上には通報分配系操作パネル１４，キーボ−ド１７，ポインティングデバイス１８，ディジタイザ３１が配置されている。受付台扱い者は着席後、ヘッドセット１６を装着し、１１０番緊急通報の受付（受理）業務を担当する。なお、図示しないが、指令台５３も受付台５２と同様の外観構成となっており、その機能構成についても、電話回線による通報の受理機能を除いて、受付台５２の機能構成と同様で良い。
【００５７】
図１６，図１７は実施の形態による事案用表示部１３の画面レイアウトを説明する図（１），（２）で、図１６（Ａ）は事案部（基本）入力画面の表示レイアウトを示している。上記の如く、この基本入力画面は事案用表示部１３の左側に表示され、ここにはどの事案（事件）についても共通である様な基本的な事項（複数項目）が表示される。ここで、「受理番号」には事案受理のシーケンス番号、「回線名」には１１０番呼の受付回線名、「受付日時」には１１０番呼の受付日時、「受理者」には予め受付台に登録した受理者の氏名やＩＤ番号等、「切断日時」には１１０番呼の切断日時が夫々表示される。これらの内容はシステムで自動的に得られる既知の情報であり、各項目内容は自動的に表示される。
【００５８】
更に、「件名１」には事案受理時の通報内容に基づき自動的に処理（抽出）された件名（事案名）、「件名２」には事案受理後に現場に急行した警察官等の状況把握に基づき決定された正式な件名（業務運用上は件名２が優先）、「管轄署」には事件の発生場所を管轄する管轄署の名称、「発生日時」には通報された事件の発生日時、「発生場所」には通報された事件発生場所の住所や名称、等が夫々表示される。これらの内容については、好ましくは、受理者が聴取内容をディジタイザ３１にフリーフォーマットで手書き入力することにより、その認識文字列で後述のデータベース２０ａが検索され、ヒットした複数の項目内容が各項目対応に一斉に仮表示（１次入力）される。
【００５９】
因みに、「件名１」に表示される項目内容（業務上使用されるキーワード）としては殺人，強盗，窃盗，誘拐，ひったくり，傷害，暴行，暴力，交通事故，人身事故，物損事故，ひき逃げ，当て逃げ，電話局試験，固定局試験，試験，テスト，誤接，無応答，いたずら，消防，火事，放火，その他照会，事案転送，他府県転送，等がある。また、図示しないが、「指令先」の項目には○○署，△△署，××署，機動捜査隊，機捜隊，捜査課，捜査○課，生活安全課，交通指導課，消防，○○県警、等が夫々キーワードとして表示される。
【００６０】
その後は、マウス１８等による置換候補一覧の選択操作（２次入力−Ａモード）、又はキーボード１７による文字データの直接的な入力（２次入力−Ｂキーモード）、又はディジタイザ３１による文字データの手書き入力（２次入力−Ｂ手書きモード）、又はマイクによる音声信号の入力（２次入力−Ｂ音声モード）により、各項目内容を項目毎に置換／修正し、確定可能である。
【００６１】
また、上記「件名１」の内容が１次入力（又は確定）されると、これに連動して事案用表示部１３の右側には「件名１」の内容に対応した詳細情報を入力するための情報入力画面が自動的に表示される。情報入力画面には「件名１」の内容に対応して予め例えば８タイプの画面（刑法犯▲１▼，誘拐犯▲２▼，轢き逃げ犯▲３▼，交通事故▲４▼，交通違反▲５▼，保護・救援▲６▼，事故・災害▲７▼，その他▲８▼）が用意されている。
【００６２】
このうちの、図１６（Ｂ）は刑法犯▲１▼、また図１７（Ａ）は交通事故▲４▼の各情報入力画面を夫々示している。図１６（Ｂ）の刑法犯画面において、被疑者の「逃走方向」，「逃走手段」等の不定情報については、好ましくは、上記同様にして、受理者が聴取内容をディジタイザ３１に手書き入力することにより、その認識文字列でデータベース２０ａが検索され、ヒットした複数の項目内容が各項目対応に一斉に仮表示（１次入力）される。また、必要なら、残りの項目（１次入力では埋められなかった項目）の内容をキーボード１７のキー入力，ディジタイザ３１の手書き入力、又はマイクの音声入力により項目毎に直接に入力することも可能である。図１７（Ａ）の交通事故画面についても同様である。
【００６３】
また、図１７（Ｂ）は処理結果入力画面を示しており、例えば「処理結果」の項目には検挙，逮捕，時間経過，継続捜査又は管轄署へ，等が夫々キーワードとして表示される。また、図示しないが、「その他」の項目には緊急配備，緊配，重要事案，重要，検問，自署配備，広域配備，隣接配備，重点警戒，等が夫々キーワードとして表示される。
【００６４】
図１４，図１５は実施の形態によるディジタイザの入力フォーマットを示す図（１），（２）で、図１４は一例のディジタイザ３１の正面図を示している。ディジタイザ３１は、その面上の任意の位置にペンタッチすると対応する位置座標情報（ｘ，ｙ）を出力するものであり、またペンタッチしたペンをそのままドラッグすると、手書き文字や記号のストローク情報を入力できる。
【００６５】
この様なディジタイザ３１の構造は、ペンタッチを検出する座標検出シート（電極シート）上に予め図示の如くフォーマット印刷された透明シートを被せたものでも良いし、又は液晶やプラズマディスプレイ表示板の上に透明の座標検出シートを被せたものでも良い。前者の場合は入力フォーマットの変更時に印刷シートを換える必要があるが、ローコストに構成できる。しかも、本発明によれば後述の手書きフリー入力スペース３１ｂを利用して複数の様々な項目情報を一挙に入力できるため、域種類もの印刷シートを容易しておく必要が無い。一方、後者の場合は、幾分ハイコストになるが、情報入力処理の進行に応じて入力フォーマットを任意に変更でき、使い勝手が良い。
【００６６】
本実施の形態によるディジタイザ３１の手書き入力スペースは、その全面が手書きフリーフォーマットの単一の入力スペースであっても良いし、又は図示の如く、使用目的に応じた複数タイプの手書き入力スペースに別れていても良い。この例では、どの事案にも共通な基本項目（「件名１」〜「処理結果」等）を入力するための固定入力スペース３１ａと、受理者が聴取内容等をフリーフォーマットで手書き入力可能な手書きフリー入力スペース３１ｂと、情報入力や表示画面のカーソル制御に係る制御用コードを入力するための制御入力スペース３１ｃとに分けられている。
【００６７】
固定入力スペース３１ａの各入力項目は、事案部（基本）入力画面の各表示項目と一部が１対１に対応しており、ここには事案の処理上、早期に確定し、かつ関係所署に通報する必要のある様な重要な情報（「件名１」〜「発生場所」等）を項目対応に手書き入力可能（その際には、データベース２０ａを参照してキーワードをヒットさせることも可能）である。又は、もし受理者が全聴取内容を、上記固定入力スペース３１ａに代えて、手書きフリー入力スペース３１ｂにフリーフォーマットで手書き入力すると、その認識文字列でデータベース２０ａが検索され、ヒットした複数の項目内容（キーワード）が表示画面の各項目対応に一斉に仮表示（１次入力）される。
【００６８】
また、制御入力スペース３１ｃには、上記フリーフォーマットの手書き入力における１パラグラフ（１文章）分の文字列入力終了を制御するようなタッチ入力エリア「入力」（キーボードのエンターキーに相当）と、表示画面上の指定項目（カーソル位置等）を変更するためのタッチ入力エリア「項目移動」（キーボードのカーソル移動キーに相当）と、表示画面上の１次入力内容を指定項目毎に確定状態にするためのタッチ入力エリア「確定」とを備える。他にも、図示しないが、表示画面上における複数項目の１次（仮）入力内容を一斉に確定状態にするためのタッチ入力エリア「全確定」を設けても良い。そして、上記いずれのタッチ入力エリアも、各エリアを単にペンタッチすることで、ＣＰＵ１１がその入力座標（ｘ，ｙ）を検出し、対応する制御機能が実行される。
【００６９】
図１５は他の一例のディジタイザ３１の正面図を示しており、透明の座標検出シートと背面の液晶又はプラズマディスプレイ表示板とを組み合わせた場合を示している。ここには、表示画面中の指定（選択）項目に対して手書き文字の認識文字列を直接に入力可能な項目対応手書き入力スペース３１ｄが更に設けられている。なお、この項目対応手書き入力スペース３１ｄに手書きした文字の認識文字列でデータベース２０ａを検索し、ヒットした関連情報（キーワード等）を当該表示項目に入力するように処理しても良い。こうすれば、簡略化された手書き入力でも、表示項目対応に正規の内容（キーワード）を入力できる。
【００７０】
更に、上記フリー入力スペース３１ｂと、この項目対応手書き入力スペース３１ｄとの間には、両入力スペース３１ｂ，３１ｄの各占有エリアを変更するための制御バーエリア３１ｅが設けられている。ユーザがこの制御バーエリア３１ｅ上にペンタッチすると、ＣＰＵ１１はその座標情報（ｘ1 ，ｙ1 ）に基づき制御バーエリア３１ｅ内にペンタッチされたことを認識し、さらにユーザがそのペンを上／下方向にドラッグすると、これに応じてＣＰＵ１１はドラッグ先の位置座標（ｘ2 ，ｙ2 ）を検出し、さらにユーザがペンを離すと、これに応じてＣＰＵ１１は制御バーエリア３１ｅの位置（即ち、両入力スペース３１ｂ，３１ｄの各占有エリアの割合）を前記ドラッグ先の位置座標（ｘ2 ，ｙ2 ）に変更する。
【００７１】
従って、事案の受付当初におけるい事情聴取時等、比較的広い手書きフリー入力スペース３１ｂが必要な時は、受付者は制御バーエリア３１ｅを下に下げ、こうして広くなった手書きフリー入力スペース３１ｂに沢山の手書き文字（メモ）を入力可能である。またその後、各項目対応に詳細情報を入力する時等、比較的広い項目対応手書き入力スペース３１ｄが必要な時は、受付者は制御バーエリア３１ｅを上に上げ、こうして広くなった項目対応手書き入力スペース３１ｄに沢山の手書き文字を入力可能である。従って、ディジタイザ３１の限られた入力スペースを有効に活用できる。その他の機能・構成については上記図１４で述べたものと同様で良い。
【００７２】
図１１〜図１３は実施の形態によるデータベースを説明する図（１）〜（３）で、該データベース２０ａには以下に説明する様な複数種のテーブル（辞書）が含まれており、夫々は情報入力処理の段階に応じて１又は２以上のテーブルが一斉に参照される。
【００７３】
図１１（Ａ）は「件名」関連のテーブル（単語辞書）を示しており、該テーブルは例えば手書きフリー入力スペース３１ｂへの手書き文字入力による情報画面への複数項目の１次（仮）入力の際に一斉に参照される。件名テーブルの第１列目には「件名１」に表示する内容として許容されるキーワード（即ち、窃盗，脅迫，…，悪臭，等の指令管制業務関連単語）が配列され、また第２列目以降にはこれらの各キーワードを容易に連想させる様な１又は２以上の類推語（同義語，慣用語，隠語等）が各キーワード対応に配列されている。従って、例えば手書き入力文章中に「あきす」の認識文字列（切り出された単語）があると、最終的には件名テーブルの類推語「あきす」でヒットが得られ、これにより件名のキーワードである「窃盗」が抽出され、件名の表示項目欄に「窃盗」が１次入力される。他にキーワードそのもの「窃盗」又は類推語「スリ」／「ぬすみ」等と手書き入力した場合も同様である。
【００７４】
また手書き入力文章中に「たおれて」の認識文字列があると、最終的には件名テーブルの２件の類推語「たおれて」でヒットが得られる。この場合は件名１として「病人」，「負傷者」の２つのキーワードが抽出されるが、その内の一方（例えば「病人」）は件名１の表示項目欄に１次入力され、かつ他方（「負傷者」）は該件名１の近傍に表示されるウィンドウ表示項目欄の選択肢（２次入力−Ａ）の候補となる。
【００７５】
図１１（Ｂ）は「発生場所」関連のテーブル（住所録辞書）を示しており、該テーブルも例えば手書きフリー入力スペース３１ｂへの手書き文字入力による情報画面への複数項目の１次入力の際に一斉に参照される。住所録情報は住所とビルや店舗の名称又は略称（愛称）等により特定される。例えば手書き入力文章中に「○○郵便局」の認識文字列があると、最終的には発生場所テーブルの住所録情報の一部の名称「○○郵便局」でヒットが得られ、画面の発生場所の表示項目には住所録情報の全体「○○市△△区××町１−２−３  ○○郵便局」が１次入力される。
【００７６】
また手書き入力文章中に「○○市△△区」の認識文字列があると、最終的には発生場所テーブルの住所録情報の一部の住所の一部「○○市△△区」でヒットが得られ、この場合は「○○市△△区××町１−２−３  ○○郵便局」，「○○市△△区□□町３−５−２６  △△銀行○○支店」の２件の発生場所（キーワード）が抽出され、その内の一方（例えば「○○市△△区××町１−２−３  ○○郵便局」）は発生場所の表示項目に１次入力され、また他方（「○○市△△区□□町３−５−２６  △△銀行○○支店」）は該発生場所の表示項目の近傍に表示されるウィンドウ表示項目欄の選択肢（２次入力−Ａ）の候補となる。他の場合も同様に考えられる。なお、認識文字列「○○郵便局」，「○○市△△区」等に関しては、住所表記と関係の深い「郵便局」，「市」，「区」等の文字が含まれることから、事件の発生場所を表す可能性が高いので、最初に発生場所テーブルを参照しても良い。
【００７７】
図１２（Ａ）は「発生時刻」関連のテーブルを示しており、該テーブルも例えば手書きフリー入力スペース３１ｂへの手書き文字入力による情報画面への複数項目の１次入力の際に一斉に参照される。発生時刻の情報は年月日時分により特定される。例えば手書き入力文章中に「○○／××  △△：□□」の認識文字列があると、最終的には発生時刻テーブルの月日時分の入力フォーマット「ＭＭ／ＤＤ  ｈｈ：ｍｍ」（但し、ＭＭ，ＤＤ，ｈｈ，ｍｍはスペースを含む任意の数字を許容する意味）でヒットが得られ、発生時刻の表示項目には「１９９８年○○月××日  △△時□□分」が１次入力される。ここで、１９９８年（又は平成１０年でも良い）はデフォルト入力（今年）の年号である。
【００７８】
また手書き入力文章中に「△△：□□」の認識文字列があると、最終的には発生時刻テーブルの時分の入力フォーマット「ｈｈ：ｍｍ」でヒットが得られ、発生時刻の表示項目には「１９９８年  ８月２３日  △△時□□分」が１次入力される。ここで、８月２３日はデフォルト入力（今日）の日付である。他の場合も同様に考えられる。なお、認識文字列「○○／××  △△：□□」，「△△：□□」等に関しては、日時表記と関係の深い、数字に囲まれた「／」，「：」等の文字が含まれることから、事件の発生時刻を表す可能性が高いので、最初に発生時刻テーブルを参照しても良い。
【００７９】
図１２（Ｂ）は「管轄署」関連のテーブル（管轄署辞書）を示しており、該テーブルは例えば手書き文字入力による上記発生場所の１次入力後、又はその確定後の、該発生場所に関連する表示項目（管轄署）の１次入力の際に自動的に参照される。管轄署は発生場所が決まると一義的に決定できる。例えば発生場所の表示項目に「○○市△△区××町」，「○○市△△区□□町」又は「○○市△△区××町」の情報が含まれていると、管轄署の表示項目にはこれらのエリアを管轄する「△△署」が１次入力される。なお、上記発生場所以外の、例えば「件名１」の１次入力内容に従って、通常の場所に基づく管轄署の概念を越えた、例えば「機動捜査隊」等のキーワードが１次入力されるように構成しても良い。
【００８０】
図１２（Ｃ）は「性別」関連のテーブルを示しており、該テーブルも例えば手書き文字入力による詳細情報画面への複数項目の１次入力の際に一斉に参照される。性別の欄のキーワードには「男」，「女」，「不明」がある。例えば手書き入力文章中に「ニューハーフ」の認識文字列があると、性別テーブルの類推語「ニューハーフ」でヒットが得られ、性の表示項目には「男」が１次入力される。他の場合も同様に考えられる。なお、手書き入力文章中に「性別不明」の認識文字列があると、性の表示項目には「不明」が１次入力され、単に性別情報が無い（入力されていない）こととは明確に区別される。
【００８１】
図１３（Ａ）は「風体」関連のテーブルを示している。該テーブルの記憶構造及び利用の仕方については上記図１１（Ａ）で述べた件名テーブルと同様に考えられる。
【００８２】
図１３（Ｂ）は「フォーム辞書」のテーブルを示しており、該辞書は例えば手書き文字入力による上記「件名１」の１次入力後、又はその確定後、該「件名１」の表示項目内容に密接に関連するような詳細情報入力画面の自動選択処理時に自動的に参照される。フォーム辞書の第１列目には事案用表示部１３の画面右側に、その画面左側の「件名１」に関連した詳細情報を１次入力するためのフォーム情報（フォーム番号）が配列されている。ここでは、事案内容を大きく８つのグループに分け、刑法犯▲１▼，誘拐犯▲２▼，轢き逃げ犯▲３▼，交通事故▲４▼，交通違反▲５▼，保護・救援▲６▼，事故・災害▲７▼，その他▲８▼の各表示フォーマットを設けた。ここで、▲１▼，▲２▼，…，等はフォーム番号を表す。またフォーム辞書の第２列目以降には各表示フォームに対応する件名１（又は件名２）の内容（各キーワード）が各フォーム名対応に配列されている。
【００８３】
なお、上記は文字列（文章）をディジタイザ３１の手書きフリー入力スペース３１ｂから手書き入力する場合について述べたが、該文字列（文章）を、上記ディジタイザ３１に代えて、キーボード１７から入力しても良い。この場合でもキー入力文字列で上記データベース２０ａを検索すれば、複数のキーワードを一斉にヒットでき、これらを複数の表示項目に一斉に１次入力（又はいきなり確定入力）できる。そして、この場合の受理者は、手書きフリー入力スペース３１ｂにメモ書きしたのと同程度の簡便さ（ラフな文章）で、聴取内容を素直にキー入力すれば良いので、キー入力に熟練を必要としない。また、上記ディジタイザ３１に代えて、マイクからメモ書き程度の情報を音声入力しても良い。
【００８４】
図５〜図８は実施の形態による情報入力処理のフローチャート（１）〜（４）、また図９，図１０は実施の形態による情報入力処理のイメージ図（１），（２）であり、以下、これらの図を参照して実施の形態による情報入力処理を具体的に説明する。
【００８５】
図５において、ステップＳ１では受付台５２の初期設定（受理者ＩＤの受付台への登録処理，録音テープのセット等）を行う。ステップＳ２では１１０番の入電を待つ。やがて、１１０番の入電があると、ステップＳ３では受理者が通報分配系操作パネル１４で１１０番呼の受付操作（受付ＫＥＹ押下）行う。これによりステップＳ４では回線インタフェース１５にＰＢＸ５１からの着信呼が接続される。またこの受付操作に連動してステップＳ５では事案用表示部１３の左画面に図１６（Ａ）の事案部入力画面（基本画面）を自動的に表示する。更にステップＳ６ではこの時点で既知の各表示項目内容（受理番号，回線名，受付日時等）を基本画面に自動入力（表示）する。この入力は確定入力で良い。更にステップＳ７では上記受付操作に連動して、この例ではディジタイザ３１を利用した以下の手書き文字認識処理を開始（手書きフリー入力スペース３１ｂを付勢）する。なお、受理者がディジタイザ入力を選択操作したことにより、ディジタイザ入力を付勢するようにしてもよい。
【００８６】
ステップＳ８では受理者が通報者より事案（事件）の内容を聴取すると共に、ステップＳ９では聴取内容のメモをディジタイザ３１の手書きフリー入力スペース３１ｂに手書き入力する。ステップＳ１０では手書き文字認識部３２が手書き文字列（記号を含む）を認識する。こうして、やがて１パラグラフ（１文章）分の区切りコードが入力されると、ステップＳ１１ではＣＰＵ１１が認識文字列から所定の単語列（上記各テーブルのキーワード，該キーワードを抽出するための類推語，発生場所や発生日時を生成させるに十分なこれらの部分語等）を抽出する。
【００８７】
ここで、上記文章の区切りコードは、例えば１文章（１パラグラフ）分の区切り文字「。」又はカッコ記号「」」等が手書き入力され、これが文字認識された場合に生成される。又はディジタイザ３１のタッチ入力スペース３１ｃにおける「入力」の制御エリアをペンタッチしても良い。或いは、この様な区切りコードの入力を待たずに、各文字の入力と並行して、所定の単語の切り出し、及びデータベース２０ａの検索等の処理を行っても良い。
【００８８】
ステップＳ１２では抽出した１又は２以上の単語列でデータデース２０ａを一斉に検索する。この時、各抽出単語につき全テーブルを検索しても良いが、例えば「○○／××」，「△△：□□」等の様に慣習上日時と密接に結びつく記号「／」又は「：」が含まれている様な単語については発生時刻テーブルのみ、また「１−２−３」等の様に、数字が記号「−」で接続されている様な単語（慣習上住所と密接に結びつく）については発生場所テーブルのみを検索することで、検索処理が早まる。因みに、この例における最初の聴取内容は、
受理者「はい、こちら１１０番警察本部です。何か有りましたか？」
通報者「大変なんです。助けて下さい。今、店から電話してるんですけど、早く来てください。」（≒手書きメモ内容）
であった。
【００８９】
ステップＳ１３では、聴取内容の手書きメモ入力につき少なくとも１件のキーワード（表示項目に表示可能な所定の文字列）をヒットしたか否かを判別する。上記の例では１件もヒットしないので、フローはステップＳ８に戻り、上記の処理を繰り返す。因みに、この例における次の聴取内容は、
受理者「落ちついて下さい。どこで何がありましたか？」
通報者「え−と、居酒屋のんだくれで、２人のヤクザが店内を壊しているんです。早く来てください！」
であった。
【００９０】
図９にこの時の手書きメモを示す。但し、ここでは固定入力スペース３１ａを使用せずに、聴取内容の全てを手書きフリー入力スペース３１ｂに手書きメモした場合を説明する。なお、手書きメモ中の「２２：３０」は追加聴取でメモされた事件発生時刻のメモである。
【００９１】
図５に戻り、この例におけるステップＳ１１では手書きメモから単語列「いざかや」，「のんだくれ」，「２人」，「ヤクザ」，「壊して」，「２２：３０」等の各所定の単語が抽出される。各単語の抽出は、例えば一連の認識文字列でデータベース２０ａを一斉に検索し、キーワード，その類推語，その他のフォーマット情報等との間で一部又は全部の比較一致が得られた文字列を順次切り出す方法で行われる。ステップＳ１２では各抽出単語でデータベース２０ａを一斉に検索する。そして、ステップＳ１３では、少なくとも１件（この例では６件）のキーワードにつきヒットが得られたので、処理は図６に進む。
【００９２】
図６において、ステップＳ１５では抽出単語列に基づく各１次入力内容（ヒットキーワード）の自動検索を行う。ステップＳ１６では１次入力内容検索結果に基づく画面入力項目の自動選択を行う。ステップＳ１７ではヒットキーワード及び入力項目選択結果に基づく２次入力−Ａ（選択肢一覧表示）内容の自動検索を行う。この場合に、もし表示１項目につき複数のキーワードが抽出された場合は、他の部分の手書きメモ内容や他の表示項目のヒットキーワードとの関連等をも考慮し、当該表示項目と最も関連性・適合性の高いキーワードを１次（仮）入力となし、それ以外のキーワードを優先順位（関連性・適合性）の高い順に２次入力−Ａ内容候補（選択肢一覧候補）とする。
【００９３】
ステップＳ１８では「件名１」の１次入力内容検索結果に基づき１３（Ｂ）のフォーム辞書を参照し、事案用表示部１３の右画面に表示するための情報入力画面（詳細画面）の自動選択を行う。ステップＳ１９では選択された情報入力画面を事案用表示部１３の右画面に表示する。ステップＳ２０では上記抽出された複数項目内容を基本画面及び情報入力画面の各表示項目対応に一斉に１次（仮）入力する。因みに、これらの１次入力内容は例えば黄色で表示される。
【００９４】
図１０（Ａ）は事案部入力画面の表示例を示している。「受付番号」〜「受理者」は現時点までに既知のデータで自動入力（確定入力で良い）されている。「切断日時」は通報者と通話中は未だ未定（空白）である。「件名１」には、手書きメモ中の単語「壊して」が図１１（Ａ）の件名テーブルでヒットした結果、件名のキーワード「器物破損」（但し、テーブルには不図示）が１次入力されている。また同時にヒットした他のキーワード「脅迫」は、例えば図９の手書きメモ中の他の語「店を」との関連性が低いので、２次入力−Ａの一覧候補（「脅迫」のウィンドウ表示）となっている。「発生日時」には、手書きメモ中の単語「２２：３０」が図１２（Ａ）の発生時刻テーブルでヒットした結果、発生日時のキーワード「平成１０年８月２３日２２時３０分」が１次入力されている。また「発生場所」には、手書きメモ中の「いざかや」，「のんだくれ」が図１１（Ｂ）の発生場所テーブルでヒットした結果、発生場所のキーワード「○○市△△区××町２−３−５  居酒屋  のんだくれ」が１次入力されている。また、この例では受理者の聞き違いや書き違い等を考慮した結果、発生場所テーブルからは他の類似する名称のキーワードが抽出されており、ここでは「□□市××区○○町５−２−１５  居酒屋  のんだっち」が２次入力−Ａの一覧候補となっている。また、「発生場所」の１次入力内容に基づき「管轄署」の項目に「△△」が自動１次入力されている。但し、「管轄署」の様な重要事項は、「発生場所」の内容の確定操作後に１次入力するようにしても良い。また、上記「件名１」に対する「器物破損」の１次入力結果に従い、これに対応する刑法犯▲１▼の詳細画面が自動選択され、右側画面に表示される。
【００９５】
図１０（Ｂ）は情報入力画面（刑法犯▲１▼）の表示例を示している。犯人の「性」には、手書きメモ中の単語「ヤクザ」が図１２（Ｃ）の性別テーブルでヒットした結果、キーワード「男」が１次入力されている。また犯人の「風体」には、手書きメモ中の単語「ヤクザ」が図１３（Ａ）の風体テーブルでもヒットした結果、キーワード「網力団員風」が１次入力されている。また、図示しないが、犯人の「人数」には同様にして「２人」が１次入力される。その他の項目については現時点の聴取内容では不明である。
【００９６】
なお、上記犯人（容疑者）の「性」を予め「男」とデフォルト情報により１次入力しておき、相反する１次入力内容「女」等が抽出された場合にのみ、該抽出内容で置換するように構成しても良い。因みに、警察業界の統計によれば、表示項目「容疑者の性別」，「被害者の性別」，「通報者の性別」には夫々「男」を、また「通報者の国籍」には「日本」を、また「日本語の可否」には「可」を夫々デフォルト情報として１次入力可能である。
【００９７】
図６に戻り、ステップＳ２１では一旦上記１次入力項目内容の確定処理を行う。なお、このまま引き続き事案の聴取と１次入力とを行っても良いが、この時点で一刻も早く上記重要な１次入力項目内容（件名，発生時刻，発生場所，管轄所等）を確定しておけば、受付台５２をモニタ（同一画面を表示し、かつ同一音声を聴取等）している指令台５３から所要の管轄署に早期に指揮・指令を発することが可能となり、初動捜査及び事件の解決を迅速ならしめる。
【００９８】
図８に１次入力項目確定処理のフローチャートを示す。ステップＳ５１ではＣＰＵ１１は項目確定終了操作（キーボード１７，ディジタイザ３１又はポインティングデバイス１８等から操作可能、以下も同様）か否かを判別する。項目確定終了操作でない場合は更にステップＳ５２で項目操作（単なる項目選択操作又は項目確定操作等）か否かを判別する。項目操作の場合は更にステップＳ５３で項目確定操作か否かを判別する。項目確定操作の場合はステップＳ５４で当該選択項目の１次入力内容を確定状態となし、ステップＳ５５では表示文字色を黄色から確定状態を表す例えば赤色（又は緑色等）に変更する。
【００９９】
ステップＳ５６では確定した内容に関連する他の表示項目が有るか否かを判別する。関連項目が無い場合はステップＳ５１に戻る。また関連項目がある場合はステップＳ５７で関連項目の内容を自動検索する。例えば事件の「発生場所」の内容が確定すると、これに付随して「管轄署」の内容を自動的に１次入力可能となる。ステップＳ５８では検索結果の内容を関連項目に１次入力し、ステップＳ５１に戻る。因みに、この１次入力の内容は次の操作で確定できる。
【０１００】
また、上記ステップＳ５３の判別で、項目確定操作で無い場合は単なる項目選択操作である。なお、この単なる項目選択操作には、受理者が自らカーソル（マウスポインタ）を移動して新たな表示項目をマニュアル選択する操作と、ＣＰＵ１１（表示項目選択制御手段）が、１次入力状態の各表示項目につき、予め重要度，緊急度の高い順等により決められた所定の優先順位に従って、各１次入力状態の項目の選択を自動的に行う場合とがある。
【０１０１】
ステップＳ５９では、当該表示項目につき２次入力−Ａの情報があることを条件に、当該表示項目の近傍に２次入力−Ａ（選択肢情報）の候補一覧を自動（ウィンドウ）表示する。ステップＳ６０では候補一覧に対する一挙動の選択操作か否かを判別する。一挙動の選択操作の場合は当該表示項目の１次入力内容を選択データで置換（２次入力−Ａ）する。そして、処理はステップＳ５４に戻り、当該表示項目内容を選択後の内容で確定する。
【０１０２】
なお、上記一挙動の選択操作とは、マウス１８による表示項目のボタンクリックやキーボード１７による一覧表示項目番号のテンキー選択入力等の一挙動の操作方法を指す。他の方法として、キーボード１７のカーソル移動キーとカーソルリターンキー（実効キー）とを用いた「カーソル（項目）選択」＋「リターン（実行）確定」による二挙動の操作方法等でも良い。
【０１０３】
また、上記ステップＳ５９で２次入力−Ａの情報が無い場合、又は上記ステップＳ６０の判別で選択操作でない場合は、ステップＳ６２でキーボード入力操作（キーボードから文字列を入力する操作）か否かを判別する。キーボード入力操作の場合はステップＳ６３でキーボード１７からの任意入力文字列により当該表示項目の内容を２次入力（２次入力−Ｂキー入力）する。この入力には表示項目内容の変更，挿入，削除等が含まれる。そして、処理はステップＳ５４に戻り、当該表示項目内容をキー入力後の内容で確定する。
【０１０４】
また上記ステップＳ６２の判別でキーボード入力操作でもない場合はステップＳ６４でディジタイザ入力操作（例えば項目対応手書き入力スペース３１ｄに対する手書き文字列の入力操作）か否かを判別する。ディジタイザ入力操作の場合はステップＳ６５でディジタイザ３１からの任意入力文字列により当該表示項目の内容を２次入力（２次入力−Ｂ手書き入力）する。そして、処理はステップＳ５４に戻り、当該表示項目内容をディジタイザ入力後の内容で確定する。
【０１０５】
なお、図示しないが、上記ステップＳ６４の判別でディジタイザ入力操作でもない場合は更に音声入力操作か否かを判別（例えば音声認識部３３がマニュアル付勢され、かつマイクからの音声信号が認識されたか否かにより判別可能）する。音声入力操作の場合は音声認識部３３からの任意認識文字列により当該表示項目の内容を２次入力（２次入力−Ｂ音声入力）する。そして、処理はステップＳ５４に戻り、当該表示項目内容を音声入力後の内容で確定する。
【０１０６】
この様に、本実施の形態では、受理者がアクションを起こした入力系から自動的に２次入力−Ｂの情報入力を行えるので、使い勝手がよい。そして、処理は最終的にステップＳ５１に戻る。
【０１０７】
ところで、この時点で、もし受理者が既に確定した表示項目を再度選択すると、フローはステップＳ５３に進み、文字の表示色（赤色等）は変わらないが、当該表示項目内容を再度入力（変更）できる。こうして、受理者は、上記１次入力された内の早期に確定必要な一部又は全項目内容につき確定処理を行うと、現時点における項目確定終了操作を行い、これによりこの処理を抜ける。
【０１０８】
なお、上記は表示項目毎に内容を確定する場合を述べたが、例えば全確定キー（又はディジタイザ３１に全確定タッチ入力エリア）の様なものを設け、該キーを押下することで、その時点における全１次入力内容を一斉に確定するように構成しても良い。
【０１０９】
図６に戻り、ステップＳ２２では事案内容聴取の終了操作か否かを判別する。終了操作でない場合は、受理者は引き続きステップＳ２３で事案内容を聴取すると共に、聴取内容をディジタイザ３１の手書きフリー入力スペース３１ｂに手書きメモする。ステップＳ２４では手書き文字列を認識し、ステップＳ２５では単語列を抽出する。ステップＳ２６では単語列に基づく１次入力内容の自動検索を行い、ステップＳ２７では検索結果に基づく複数表示項目の一斉１次入力処理を行う。そして、ステップＳ２１に戻り、１次入力項目内容の確定処理を行う。こうして、やがて、ステップＳ２２の判別で事案聴取の終了操作を判別すると、処理は図７に進む。
【０１１０】
図７において、ステップＳ３１では受理者が通報分配系操作パネル１４で電話回線の切断操作（復旧ＫＥＹ押下）を行う。これによりステップＳ３２ではＣＩＦ１５（ＰＢＸ５１）が当該電話回線を切断する。ステップＳ３３ではＣＰＵ１１が一連の情報入力終了操作（情報系入力終了操作）か否かを判別する。終了操作でない場合はステップＳ３４で受理者が追加の情報（未だ未入力となっている表示項目の内容等）を、例えば手書きフリー入力スペース３１ｂに手書き入力する。ステップＳ３５では手書き文字列を認識し、ステップＳ３６では単語列を抽出する。ステップＳ３７では抽出単語列に基づく１次入力内容の自動検索を行い、ステップＳ３８では複数表示項目の同時１次入力処理を行う。ステップＳ３９では１次入力項目内容の確定処理を行い、ステップＳ３３に戻る。こうして、必要な分の追加情報の入力操作を繰り返す。その際には、キーボード１７からの情報入力又はディジタイザ３１の項目対応入力スペース３１ｄからの情報入力等を併用しても良い。
【０１１１】
こうして、やがて、ステップＳ３３の判別で全情報入力の終了操作であると、これに連動して上記手書き文字認識処理等が終了され、更にステップＳ４０では受理者は事案情報の入力終了操作（ＣＲＴ画面上の「一括終了」項目の選択等）を行う。これにより取扱中の情報入力画面（事案画面，詳細画面，処理結果画面等）も自動的に終了する。ステップＳ４１ではＣＰＵ１１はＬＡＮ５５を介して当該事案に係る作成情報の全てを一旦サーバ（指令管制サーバ）５６に格納する。そして、この受付台５２の処理は、図５のステップＳ２に戻り、次の１１０番の入電に備える。
【０１１２】
一方、上記受付台５２の表示情報及び通報者と受理者との通話音声等がＬＡＮ５５を介して逐次対応の指令台５３及び必要なら統合指令台５４でモニタされると共に、該指令台５３からは管轄の派出所６０等に対して適正な指揮・指令が発動され、これにより通報者には迅速・的確な救済が得られる。
【０１１３】
また、上記サーバ５６に一旦格納された事案情報は、その後、他の事案を受付中の受付台５２、又は前回の事案に関する指令業務を遂行中の指令台５３又は統合指令台５４のいずれからでも、かつ何時の時点（例えば受付台５２が他の事案の聴取中及びその１次入力内容の入力処理中等）でも自由に画面に呼び出せ、再利用（参照，更新等）可能である。
【０１１４】
なお、上記ステップＳ３１で受理者が電話回線の切断操作を行ったことに連動して、手書きフリー入力スペース３１ｂによる複数項目の１次入力処理を終了させても良い。この場合は、上記ステップＳ３４〜Ｓ３８の処理に代えて、キーボード１７からの項目対応の文字入力又はディジタイザ３１の項目対応入力スペース３１ｄ等からの項目対応の文字入力が行われる。
【０１１５】
また、上記実施の形態は警察本部における指令管制システムへの適用例を述べたが、本発明は消防センタにおける指令管制システムにも同様に適用できる。更に、本発明は、一般情報の受付者（オペレータ）が客との会話から得られた情報を基にメモを取る感覚で必要情報を入力し、これに基づき情報画面上の各項目対応に各所要の内容を一斉に入力（表示）し、これに基づきサービス業務に応じた情報処理，応答及び情報管理を行う所の各種受付システム（チケット販売等の予約システム、公共施設利用予約等の情報管理システム等）にも適用出来ることは言うまでも無い。
【０１１６】
また、上記実施の形態では日本語による情報入力処理への適用例を述べたが、本発明は言語（英語，フランス語，独語，中国語等）を問わずに適用できる。
【０１１７】
また、上記本発明に好適なる実施の形態を述べたが、本発明思想を逸脱しない範囲内で各部の構成、制御、処理及びこれらの組合せの様々な変更が行えることは言うまでも無い。
【０１１８】
【発明の効果】
以上述べた如く本発明によれば、対象事項のメモを取る程度の簡単な情報入力操作で、情報画面上の複数項目内容を一斉に仮入力（表示）できると共に、必要なら変更を加え、最終的に適正な内容で確定できるので、複数項目の情報入力操作を大幅に迅速化、簡略化できる。
【０１１９】
また、本発明を警察本部や消防センタの指令管制システムに適用した場合は、緊急通報の受理及びこれに基づく指揮・指令の発動から現場急行に至るまでのトータルのレスポンスタイムを大幅に短縮できるため、市民生活の秩序・安全の維持及び犯罪の抑止等に多大なる効果が期待される。
【図面の簡単な説明】
【図１】本発明の原理を説明する図である。
【図２】実施の形態による指令管制システムのブロック図である。
【図３】実施の形態による受付台のブロック図である。
【図４】実施の形態による受付台の外観図である。
【図５】実施の形態による情報入力処理のフローチャート（１）である。
【図６】実施の形態による情報入力処理のフローチャート（２）である。
【図７】実施の形態による情報入力処理のフローチャート（３）である。
【図８】実施の形態による情報入力処理のフローチャート（４）である。
【図９】実施の形態による情報入力処理のイメージ図（１）である。
【図１０】実施の形態による情報入力処理のイメージ図（２）である。
【図１１】実施の形態によるデータベースを説明する図（１）である。
【図１２】実施の形態によるデータベースを説明する図（２）である。
【図１３】実施の形態によるデータベースを説明する図（３）である。
【図１４】実施の形態によるディジタイザの入力フォーマットを示す図（１）である。
【図１５】実施の形態によるディジタイザの入力フォーマットを示す図（２）である。
【図１６】実施の形態による事案用表示部の画面レイアウトを説明する図（１）である。
【図１７】実施の形態による事案用表示部の画面レイアウトを説明する図（２）である。
【図１８】従来技術を説明する図（１）である。
【図１９】従来技術を説明する図（２）である。
【符号の説明】
１  電話機（ＴＥＬ）
１１  ＣＰＵ
１２  主メモリ（ＭＭ）
１３  事案用表示部（ＤＳＰ）
１４  通報分配系操作パネル
１５  回線インタフェース（ＣＩＦ）
１６  ヘッドセット（ＨＳ）
１７  キーボード（ＫＢＤ）
１８  ポインティングデバイス（ＰＤ）
２０  ハードウェアディスク装置（ＨＤＤ）
２１  ＬＡＮインタフェース（ＬＩＦ）
２２  共通バス
３１  ディジタイザ
３２  手書き文字認識部
３３  音声認識部
５０  指令管制システム
５１  構内交換機（ＰＢＸ）
５２  受付台
５３  指令台
５４  統合指令台
５５  ＬＡＮ(Local Area Network)
５６  サーバ
５７  ルータ（ＬＴ）
６１  受令台
６２  無線ユニット（ＲＦＵ）
１００  公衆網
ＭＳ  移動機
【図１】
0003817378.tif 000002
【図２】
0003817378.tif 000003
【図３】
0003817378.tif 000004
【図４】
0003817378.tif 000005
【図５】
0003817378.tif 000006
【図６】
0003817378.tif 000007
【図７】
0003817378.tif 000008
【図８】
0003817378.tif 000009
【図９】
0003817378.tif 000010
【図１０】
0003817378.tif 000011
【図１１】
0003817378.tif 000012
【図１２】
0003817378.tif 000013
【図１３】
0003817378.tif 000014
【図１４】
0003817378.tif 000015
【図１５】
0003817378.tif 000016
【図１６】
0003817378.tif 000017
【図１７】
0003817378.tif 000018
【図１８】
0003817378.tif 000019
【図１９】
0003817378.tif 000020